(57)【要約】【課題】胴突仕掛けに適用され、仕掛けの任意の位置に取り付けられる集寄を提供する。【解決手段】集寄２０は、幹糸及びハリスを有する胴突仕掛けに装着されるものである。この集寄２０は、集寄本体２１と、集寄本体２１を保持すると共に幹糸又はハリスを挟持する取付具２３とを備えている【選択図】図２
2015198609.tif 000002
【特許請求の範囲】
【請求項１】
幹糸及びハリスを有する胴突仕掛けに装着される集寄であって、
集寄本体と、
集寄本体を保持すると共に上記幹糸又はハリスを挟持する取付具とを備えた集寄。
【請求項２】
上記取付具は、弾性を有する線材の中間部が屈曲されることにより形成され、
ストレートアームと、当該ストレートアームに所定の押圧力で当接するテンションアームとを備えている請求項１に記載の集寄。
【請求項３】
上記テンションアームの端部は、上記ストレートアームから離反する方向に屈曲されている請求項２に記載の集寄。
【発明の詳細な説明】
【技術分野】
【０００１】
この発明は、釣用仕掛けに採用される集魚部材（集寄）の構造に関するものである。
【背景技術】
【０００２】
図４は、従来の一般的なカワハギ釣用の仕掛けを表している。
【０００３】
同図が示すように、カワハギ釣用の仕掛け１は、いわゆる胴突形式の仕掛けである。この仕掛け１は、幹糸２を有し、この幹糸２に複数のハリス３及び針４が連結されている。また、仕掛け１の上部（水面側）に集寄５が設けられ、仕掛け１の下端にオモリ６が取り付けられる。仕掛け１の構造は、釣人の経験やカワハギの習性が考慮されたうえで決定される。カワハギはきわめて好奇心の強い魚であることが知られており、実釣において釣人がロッドを操作して水中で仕掛け１をカワハギにアピールするために集寄５が採用されている（非特許文献１）。
【０００４】
カワハギ釣りでは、釣人が仕掛け１を魚に対してどれだけアピールすることができるかによって釣果が異なる。そのため、従来の集寄５の仕様はさまざまである。たとえば、同図では、集寄５の表面に光の反射率が高くなる加工や処理が施されており、その他、柔軟な線材が束ねられて集寄５が構成されているものもある。従来の集寄５は、環状の連結具７やスナップを備えており、一般に釣糸８と幹糸２との間に配置される。
【先行技術文献】
【非特許文献】
【０００５】
【非特許文献１】DAIWA FISHING TACKLE CATALOG 2014  P270〜P271
【発明の概要】
【発明が解決しようとする課題】
【０００６】
従来の集寄は、幹糸に対する位置が固定されるものである。しかし、釣人にとって仕掛けを水中でより目立たせるためには、集寄は、幹糸に対する位置が自在に変更され得るものであることが好ましい。
【０００７】
そこで、本発明は、釣用の胴突仕掛けに適用され、仕掛けの任意の位置に取り付けられる集寄を提供することである。
【課題を解決するための手段】
【０００８】
(1) 本発明に係る集寄は、幹糸及びハリスを有する胴突仕掛けに装着されるものである。この集寄は、集寄本体と、集寄本体を保持すると共に上記幹糸又はハリスを挟持する取付具とを備えている。
【０００９】
この構成によれば、取付具が集寄本体を保持しているので、取付具が幹糸又はハリスに取り付けられるだけで、当該集寄が胴突仕掛けに装着される。取付具は、幹糸又はハリスを挟持することにより簡単に当該幹糸又はハリスに一定の係止力で係合する。しかも、釣人は、この係止力に抗して取付具を移動させることにより、任意の位置に集寄を配置することができる。
【００１０】
(2) 上記取付具は、弾性を有する線材の中間部が屈曲されることにより形成され、ストレートアームと、当該ストレートアームに所定の押圧力で当接するテンションアームとを備えている。
【００１１】
この構成では、釣人は、ストレートアームとテンションアームとの間に幹糸又はハリスを押し込むだけで、きわめて簡単に集寄を幹糸又はハリスに装着することができる。しかも、集寄を引っ張るだけで、簡単に幹糸又はハリスから取り外すことができる。したがって、集寄の位置変更が簡単である。
【００１２】
(3) 上記テンションアームの端部は、上記ストレートアームから離反する方向に屈曲されているのが好ましい。
【００１３】
この構成では、テンションアームはストレートアームに対してＶ字状に開いている。したがって、釣人は、幹糸又はハリスを当該Ｖ字状に開いた部位に案内するだけで、一層簡単に取付具を幹糸又はハリスに係合させることができる。
【発明の効果】
【００１４】
この発明によれば、取付具が幹糸又はハリスの任意の位置に係合することができるので、集寄は、釣人の所望の位置に取り付けられる。
【図面の簡単な説明】
【００１５】
【図１】図１は、釣用仕掛け１０が取り付けられた釣竿３０の模式図である。
【図２】図２は、本発明の一実施形態に係る集寄２０の拡大図である。
【図３】図３は、集寄２０を幹糸１１に取り付ける手順を説明する図であって、（Ａ）は取り付け前の状態、（Ｂ）は取り付け後の状態を示す。
【図４】図４は、従来の仕掛け１が取り付けられた釣竿の模式図である。
【発明を実施するための形態】
【００１６】
以下、本発明の好ましい実施形態が、適宜図面が参照されながら説明される。なお、本実施の形態は、本発明に係る釣用仕掛けの一態様にすぎず、本発明の要旨を変更しない範囲で実施態様が変更されてもよいことは言うまでもない。
【００１７】
図１に示される釣用仕掛け１０は、ターゲットをカワハギとする、いわゆる胴突形式の仕掛けである。釣用仕掛け１０は、図１に示されるように、釣竿３０のリール３１から繰り出された道糸３２の先端に取り付けられる。また、釣用仕掛け１０は、図１及び図２に示されるように、幹糸１１と、ハリス保持具１２と、ハリス１３と、針１４と、集寄２０とを備える。また、釣用仕掛け１０の一端には、サルカン１６Ａを介して道糸３２が取り付けられている。さらに、釣用仕掛け１０の他端には、サルカン１６Ｂを介してオモリ１７が取り付けられている。
【００１８】
［幹糸１１］
幹糸１１は、図１に示されるように、釣用仕掛け１０の長手方向の全体にわたって延びている。幹糸１１の全長は、例えば、６０ｃｍ〜１２０ｃｍ程度に設定される。幹糸１１は、例えば、フロロカーボン製である。また、幹糸１１の両端には、サルカン１６Ａ、１６Ｂ（連結具の一例）が取り付けられている。さらに、幹糸１１には、その長手方向に沿って所定の間隔で複数のハリス保持具１２が取り付けられている。
【００１９】
［ハリス保持具１２］
ハリス保持具１２は、図１に示されるように、概ね球状の外観を呈しており、幹糸１１が挿通される貫通孔（不図示）が形成されている。各ハリス保持具１２は、幹糸１１の所定の位置に固定されると共に、ハリス１３を保持する。幹糸１１の長手方向におけるハリス保持具１２の取り付け間隔は、例えば、５ｃｍ〜２０ｃｍ程度に設定される。図１の例では、幹糸１１に３つのハリス保持具１２が取り付けられているが、ハリス保持具１２の数はこれに限定されない。
【００２０】
ハリス１３は、一端に針１４が取り付けられており、他端がハリス保持具１２に取り付けられている。ハリス１３の長さは、例えば、３ｃｍ〜１０ｃｍ程度に設定される。ハリス１３を構成する材料は、例えば、フロロカーボンである。オモリ１７は、例えば、３０号〜４０号程度のものが選択される。オモリ１７の表面は、集魚効果を発揮させるために、例えば蛍光カラーで塗装されていてもよい。
【００２１】
［集寄２０］
集寄２０は、図２に示されるように、集寄本体２１と、取付具２３とで構成される。
【００２２】
集寄本体２１は、複数の糸材２２を束ねて構成される。集寄本体２１は、その一端（以下、「結束端」と表記する。）において各糸材２２の端部同士が束ねられており、他端（以下、「自由端」と表記する。）において各糸材２２の端部が各々独立している。すなわち、集寄本体２１の自由端において、各糸材２２は束ねられていない。糸材２２を構成する材料は特に限定されないが、例えば、ナイロン、ビニール等を採用することができる。各糸材２２の長さは、例えば、５ｃｍ〜１５ｃｍ程度に設定される。
【００２３】
各糸材２２の表面は、例えば、蛍光カラー等で塗装されていてもよい。各糸材２２は、同一色であってもよいし、長手方向において異なる色で塗装されていてもよい。また、同一色の複数の糸材２２を束ねて集寄本体２１が構成されてもよいし、異なる色で塗装された複数の糸材２２を束ねて集寄本体２１が構成されてもよい。さらに、各糸材２２は、撚られていてもよい。
【００２４】
取付具２３は、金属等の弾性を有する線材を折り曲げて形成されている。具体的には、取付具２３は、中間部が屈曲された線材の一方側のストレートアーム２４と、他方側のテンションアーム２５とで構成される。ストレートアーム２４は、線材の屈曲点から概ね直線的に延びており、その先端（すなわち、屈曲点から遠い側の端部）において集寄本体２１の結束端を保持する。テンションアーム２５は、線材の屈曲点から概ねストレートアーム２４と平行に直線的に延びており、その先端がストレートアーム２４から離反する向きに屈曲されてガイドアーム２６を構成している。また、ストレートアーム２４は、テンションアーム２５より長い。
【００２５】
ストレートアーム２４及びテンションアーム２５は、自然状態（すなわち、取付具２３に外力が加えられていない状態）において、互いに接触しているか、或いは極めて小さな隙間を隔てて近接している。そして、ストレートアーム２４及びテンションアーム２５を離間させる向きの力が取付具２３に加えられると、線材の弾性によって互いに近づく向きの力を生じる。すなわち、ストレートアーム２４とテンションアーム２５とは、所定の押圧力で互いに当接されている。
【００２６】
上記構成の集寄２０は、例えば図３（Ａ）に示されるように、ストレートアーム２４とガイドアーム２６との間に幹糸１１を保持した状態で矢印の方向に引っ張られることによって、図３（Ｂ）に示されるように、幹糸１１に取り付けられる。すなわち、集寄２０は、ストレートアーム２４とテンションアーム２５とで幹糸１１を挟持することによって、幹糸１１に固定される。
【００２７】
［実施形態の作用効果］
上記の実施形態によれば、取付具２３が集寄本体２１を保持しているので、取付具２３が幹糸１１に取り付けられるだけで、当該集寄２０が釣用仕掛け１０に装着される。取付具２３は、幹糸１１を挟持することにより簡単に当該幹糸１１に固定される。また、幹糸１１を挟持したストレートアーム２４及びテンションアーム２５は、互いに近づく向きの力を生じるので、集寄２０が幹糸１１の長手方向にずれたり、集寄２０が幹糸１１から外れることが抑制される。
【００２８】
また、上記構成の釣用仕掛け１０において、釣人は、ストレートアーム２４とテンションアーム２５との間に幹糸１１を押し込むだけで、きわめて簡単に集寄２０を幹糸１１に装着することができる。また、釣人は、集寄２０を引っ張るだけで、簡単に幹糸１１から取り外すことができる。したがって、釣用仕掛け１０内における集寄２０の位置変更が簡単である。さらに、ガイドアーム２６がストレートアーム２４に対してＶ字状に開いている。したがって、釣人は、幹糸１１を当該Ｖ字状に開いた部位に案内するだけで、一層簡単に取付具２３を幹糸１１に取り付けることができる。
【００２９】
また、このようにして幹糸１１に取り付けられた集寄２０は、その長手方向の一端（すなわち、取付具２３を構成する線材の屈曲点側）が幹糸１１に固定され、他端（すなわち、集寄本体２１の自由端側）が固定されていない。すなわち、水中における集寄２０は、幹糸１１の長手方向と交差する方向に延びる。また、集寄本体２１の自由端において各糸材２２が結束されていないので、水中における集寄本体２１は、結束端側を基点として各糸材２２が放射状に広がり、且つ各糸材２２が各々独立して揺動する。そのため、釣人は、釣用仕掛け１０が取り付けられた釣竿３０の操作によって、バリエーションに富んだ集寄２０の動きを実現できる。
【００３０】
なお、上記構成の集寄２０は、幹糸１１に取り付けられることに限定されず、ハリス１３又は道糸３２等に取り付けられてもよい。ハリス１３又は道糸３２に集寄２０を取り付ける方法は、図３に示される幹糸１１への取り付け方法と同様である。また、釣用仕掛け１０に取り付けられる集寄２０は１個に限定されず、複数の集寄２０が釣用仕掛け１０に取り付けられてもよい。さらに、集寄本体２１の構成は上記の例に限定されず、表面の光反射率が高い板状であってもよいし、水中においてはためく旗状であってもよい。
【符号の説明】
【００３１】
１０・・・釣用仕掛け
１１・・・幹糸
１２・・・ハリス保持具
１３・・・ハリス
２０・・・集寄
２１・・・集寄本体
２３・・・取付具
２４・・・ストレートアーム
２５・・・テンションアーム
２６・・・ガイドアーム
【図１】
2015198609.tif 000003
【図２】
2015198609.tif 000004
【図３】
2015198609.tif 000005
【図４】
2015198609.tif 000006